(57)【要約】【課題】懐中電灯と履物とを収納することで就寝時の災害に迅速かつ確実に対応可能であるとともに、防災頭巾として機能し、しかも寝心地が快適な災害対策枕を提供する。【解決手段】本発明の災害対策枕は、平面視略長方形状の枕本体部、並びに、その枕本体部の両側にそれぞれ配置された左側袋部および右側袋部を備えている。左側袋部および右側袋部は、防災用具を収納可能な袋形状に形成されている。枕本体部は、その略長方形状の一辺において開口可能となるように上側クッション部と下側クッション部とを重ね合わせて形成されている。枕本体部の両クッション部間に人の頭部を挿入することで防災頭巾として使用可能であることを特徴とする。また本発明の災害対策枕と、災害対策枕の左側および右側袋部に収納可能な懐中電灯および履物とを組み合わせた災害対策枕セットが提供される。【選択図】図７
2011143052.tif 000002
【特許請求の範囲】
【請求項１】
平面視略長方形状の枕本体部、並びに、その枕本体部の両側にそれぞれ配置された左側袋部および右側袋部を備え、
前記左側袋部および右側袋部は、防災用具を収納可能な袋形状に形成されており、
前記枕本体部は、その略長方形状の一辺において開口可能となるように上側クッション部と下側クッション部とを重ね合わせて形成されており、
前記枕本体部の両クッション部間に人の頭部を挿入することで防災頭巾として使用可能であることを特徴とする災害対策枕。
【請求項２】
第１の横長な袋状カバーと、第２の横長な袋状カバーとを備えており、
前記上側クッション部は、前記第１の袋状カバーの中央部に略長方形状のクッション材を内包することで構成され、
前記下側クッション部は、前記第２の袋状カバーの中央部に略長方形状のクッション材を内包することで構成され、
前記略長方形状の各クッション材の２つの短辺と１つの長辺に沿って前記第１及び第２の袋状カバーを縫合することによって、一長辺において開口可能な前記枕本体部が形成されている、ことを特徴とする請求項１に記載の災害対策枕。
【請求項３】
前記第１の袋状カバーの中央部の左側および右側、並びに、前記第２の袋状カバーの中央部の左側および右側にそれぞれ第２のクッション材を内包させた状態で、前記第１及び第２の袋状カバーの外周縁の一部を縫合することによって、前記左側袋部および右側袋部が形成されている、ことを特徴とする請求項２に記載の災害対策枕。
【請求項４】
前記左側袋部および右側袋部に収納される防災用具は、懐中電灯と履物であることを特徴とする請求項１〜３のいずれか一項に記載の災害対策枕。
【請求項５】
請求項１〜３のいずれか一項に記載の災害対策枕と、
前記災害対策枕の左側および右側袋部に収納可能な履物および懐中電灯と、
を組み合わせてなることを特徴とする災害対策枕セット。
【発明の詳細な説明】
【技術分野】
【０００１】
本発明は、災害時に利用することのできる防災用具を収容した枕に関する。
【背景技術】
【０００２】
一般家庭の防災対策として、懐中電灯、ラジオ、非常食といった防災用具を非常持ち出し袋等に納めて保管する方法が広く普及している。しかし就寝中に地震等の災害が発生した場合には、同時に停電となる可能性が高く、防災用具の所在を知ることができないためにせっかく用意した防災用具を活用できない恐れがあった。そこで就寝時であっても利用できるような形態で非常用の照明器具を配置する技術が求められていた。
【０００３】
また就寝中に災害が発生した時には、素足の状態から屋外に避難しなければならない事態が想定される。そのような場合に足を保護するため、就寝中に災害が発生しても確実に利用できる形態で身近に履物を配置できる技術が求められていた。
【０００４】
上記課題を克服するために、就寝時に最も身近にある枕の中に防災用具を収納する試みがなされている。特許文献１には、防災用具を収納した容器と、この容器の上に配置されるクッションと、これら容器とクッションとを包むカバーとを備えた防災用具が開示されている。特許文献２には、防寒具とスリッパを収納しており、防災頭巾として利用可能な枕が開示されている。特許文献３には、簡易靴を収納しており、防災頭巾として利用するための紐を内蔵した枕が開示されている。
【先行技術文献】
【特許文献】
【０００５】
【特許文献１】登録実用新案第３０２１３６４号公報
【特許文献２】登録実用新案第３１１２６７８号公報
【特許文献３】特開２００９−９００７２号公報
【発明の概要】
【発明が解決しようとする課題】
【０００６】
特許文献１の防災用具は、クッションの下の容器に、形状や硬さの異なる防災用具を収納して配置している。このため、たとえクッションを隔てている場合であっても、防災用具が使用者の後頭部に硬い感触を与えて寝心地を損なう恐れがあった。また特許文献２又は特許文献３に開示される枕は、履物を防災頭巾で挟み込んだ構成となっている。このため、防災頭巾の中で履物がずれた場合に、使用者に違和感を与える恐れがあった。
【０００７】
本発明は、上記課題に鑑みてなされたものであって、防災用具を収納していながら、使用者に違和感を与えることがなく、寝心地に優れた枕を提供することを目的としてなされたものである。
【課題を解決するための手段】
【０００８】
本発明は、災害対策枕に関する。この災害対策枕は、平面視略長方形状の枕本体部、並びに、その枕本体部の両側にそれぞれ配置された左側袋部および右側袋部を備えている。災害対策枕の左側袋部および右側袋部は、防災用具を収納可能な袋形状に形成されており、枕本体部は、その略長方形状の一辺において開口可能となるように上側クッション部と下側クッション部とを重ね合わせて形成されている。本発明の災害対策枕は、枕本体部の両クッション部間に人の頭部を挿入することで防災頭巾として使用可能であることを特徴とする。
【０００９】
本発明の災害対策枕は、上側クッション部と下側クッション部とを重ね合わせて形成され、災害発生時に防災頭巾として使用することが可能な枕本体部と、枕本体部の両側に配置された防災用具を収納可能な左側袋部と右側袋部とを備えている。本発明の災害対策枕は、枕本体部に防災用具を収納せず、枕本体部とは異なる左側袋部と右側袋部に防災用具を収納するために、使用者は、枕本体部に頭部を載せた際に違和感がなく、快適な寝心地で就眠することができる。
【００１０】
本発明の災害対策枕は、第１の横長な袋状カバーと、第２の横長な袋状カバーとを備えることができる。そして、上側クッション部は、前記第１の袋状カバーの中央部に略長方形状のクッション材を内包することで構成され、下側クッション部は、前記第２の袋状カバーの中央部に略長方形状のクッション材を内包することで構成される。枕本体部は、略長方形状の各クッション材の２つの短辺と１つの長辺に沿って第１及び第２の袋状カバーを縫合することによって、一長辺において開口可能に形成されることを特徴とする。
【００１１】
本発明の災害対策枕は、第１の袋状カバーの中央部の左側および右側、並びに、第２の袋状カバーの中央部の左側および右側に、それぞれ第２のクッション材を内包させた状態で、第１及び第２の袋状カバーの外周縁の一部を縫合することによって、左側袋部および右側袋部が形成されていることを特徴とする。
【００１２】
本発明の災害対策枕は、左側袋部および右側袋部に収納される防災用具が、懐中電灯と履物であることを特徴とする。
【００１３】
本発明はまた、災害対策枕セットを提供する。本発明の災害対策枕セットは、災害対策枕と、災害対策枕の左側および右側袋部に収納可能な履物および懐中電灯と、を組み合わせてなることを特徴とする。
【発明の効果】
【００１４】
本発明の防災対策枕は、枕本体部に防災用具を収納せず、枕本体部とは異なる左側袋部と右側袋部に防災用具を収納するために、使用者は、枕本体部に頭部を載せた際に違和感がなく、快適な寝心地で就眠することができる。
【００１５】
本発明の防災対策枕は、枕本体部の開口に、タオルや更なるクッション材といった緩衝部材を挿入することで、枕本体部の高さを、使用者の好む高さに調整することができる。
【００１６】
本発明の防災対策枕の枕本体部は、クッション材が収納された袋状カバーを縫合することによって構成されているために、通常の枕と同等の寝心地を確保している。しかも内包されているクッション材によって、防災頭巾としても高い機能を備えている。
【００１７】
本発明の防災対策枕は、左側袋部および右側袋部の中に第２のクッション材が内包されていることにより、防災用具を安全に保管することが可能である。しかもこの第２のクッション材が内包されていることによって、防災用具が使用者の頭部に接触する時の違和感が減じられており、使用者の頭部が枕本体部からずれたとき（例えば、寝返りしたとき）にも、使用者の寝心地を快適に保つことが可能である。
【００１８】
本発明の防災対策枕は、履物と懐中電灯とを収納することができる。履物と懐中電灯と本発明の防災枕とを備えた防災対策枕セットは、万一就寝中に災害が発生した場合であっても、周囲を懐中電灯で照らして避難経路と必要な持ち物の確認が可能であり、且つ使用者の頭部と足とを安全に保護して避難することを可能とする。
【図面の簡単な説明】
【００１９】
【図１】本発明の実施例に係る防災対策枕の上面斜視図である。
【図２】本発明の実施例に係る防災対策枕の一長辺を開口させた状態を示す図である。
【図３】本発明の実施例に係る防災対策枕の下面斜視図である。
【図４】本発明の実施例に係る防災対策枕を背面下部から見た図である。
【図５】本発明の実施例に係る防災対策枕に収納される懐中電灯の平面図である。
【図６】本発明の実施例に係る防災対策枕に収納される履物の側面図である。
【図７】本発明の実施例に係る防災対策枕を防災頭巾として着用した状態を示す図である。
【発明を実施するための形態】
【００２０】
以下に、発明を実施するための形態としての実施例について説明する。
【実施例】
【００２１】
以下、本発明の一実施例について図面を参照しつつ説明する。図１に、本発明の実施例に係る防災対策枕の上面斜視図を示す。図２に、本発明の実施例に係る防災対策枕の一長辺を開口させた状態を示す。図３に、本発明の実施例に係る防災対策枕の下面斜視図を示す。
【００２２】
図１に示すように、本実施例における災害対策枕１は、平面視略長方形状の枕本体部２と、その枕本体部２の両側にそれぞれ配置された左側袋部３および右側袋部４を備えている。図２に示すように、本実施例における枕本体部２は、平面視略長方形状の上側クッション部１１と、上側クッション部１１とほぼ同一形状の下側クッション部１２とを重ね合わせて形成されている。上側クッション部１１と下側クッション部１２とは、一つの長辺とその両側の短辺が、外側に沿って縫合されており、残る他の長辺が分離していることによって、図２において前面で示される一つの長辺が開口可能となっている。
【００２３】
枕本体部２を構成する上側クッション部１１と下側クッション部１２についてより詳細に記載する。図３に示すように、上側クッション部１１は、横長な第１の袋状カバー１３と、これに内包されているクッション材１５ａとを備えている。下側クッション部１２は、横長な第２の袋状カバー１４と、これに内包されているクッション材１５ｂとを備えている。第１の袋状カバー１３と第２の袋状カバー１４とは、ほぼ同一の形状を備えている。またクッション材１５ａとクッション材１５ｂとは、ほぼ同一の平面視略長方形の形状であって、全体として直方体となる形状を備えている。
【００２４】
本実施例に於いて、第１の袋状カバー１３および第２の袋状カバー１４は、綿または麻を含む吸湿性のある織布で形成されている。クッション材１５ａ、１５ｂは、ポリウレタンで形成されている。  
【００２５】
クッション材１５ａは、第１の袋状カバー１３内部のほぼ中央部に配置されている。クッション材１５ｂは、第２の袋状カバー１４内部のほぼ中央部に配置されている。クッション材１５ａを内包した第１の袋状カバー１３と、クッション材１５ｂを内包した第２の袋状カバー１４とは、クッション材１５ａとクッション材１５ｂとの外周部の位置が一致するように重ね合わされた状態で、クッション材１５ａ，１５ｂの短辺と平行に袋状カバー１３，１４を横断する二つの縫製ライン２１，２２で縫合されている。この二つの縫製ライン２１，２２によって、クッション材１５ａは第１の袋状カバー１３の中に固定され、クッション材１５ｂは第２の袋状カバー１４の中に固定される。
【００２６】
次に、枕本体部２の両側にそれぞれ配置される左側袋部３および右側袋部４の構成について詳細に説明する。本実施例における左側袋部３および右側袋部４は、それぞれが、第１の袋状カバー１３と、第２の袋状カバー１４と、第２のクッション材１６によって構成されている。
【００２７】
第１の袋状カバー１３および第２の袋状カバー１４の長手方向の長さは略同一であって、クッション材１５ａの長辺の長さと、１個のクッション材１６の長辺の長さと、縫製のための縫いしろの長さとの和に相当する長さを備えている。
【００２８】
左側袋部３は、第１の袋状カバー１３の左側端部と第２の袋状カバー１４の左側端部とを、一部開口を残して縫合し、この開口から第２のクッション材１６を挿入した後に、この開口を縫合して第１の袋状カバー１３の左側端部と第２の袋状カバー１４の左側端部とを連結されている。更に左側袋部３は、第１の袋状カバー１３左側の、図３において前方で示される端部と、第２の袋状カバー１４左側の、図３において前方に示される端部とが縫合されていることで、袋型の形状となっている。つまり左側袋部３は、第１の袋状カバー１３と第２の袋状カバー１４の左側端部、および図３において前方で示される辺とからなる外周縁の一部が縫合されており、且つ、第１の袋状カバー１３と第２の袋状カバー１４の図３において後方に示される辺が離反していることで、防災用具を収納可能な袋状に形成されている。
【００２９】
右側袋部４は、第１の袋状カバー１３の右側端部と第２の袋状カバー１４の右側端部とを、一部開口を残して縫合し、その開口から第２のクッション材１６を挿入した後に、この開口を縫合して第１の袋状カバー１３の右側端部と第２の袋状カバー１４の右側端部とを連結されている。更に右側袋部４は、第１の袋状カバー１３左側の、図３において前方に示される端部と、第２の袋状カバー１４左側の図３において前方に示される端部とが縫合されていることで、袋型の形状となっている。つまり右側袋部４は、第１の袋状カバー１３と第２の袋状カバー１４の右側端部、および図３において前方に示される辺とからなる外周縁の一部が縫合されており、且つ、第１の袋状カバー１３と第２の袋状カバー１４の図３において後方に示される辺が離反していることで、防災用具を収納可能な袋状に形成されている。
【００３０】
本実施例における防災対策枕１は、左側袋部３と右側袋部４とが同一の形状に形成されている。左側袋部３と右側袋部４は、その内部に、防災用具である懐中電灯５と履物６のいずれか一方を収納するために充分な広さを備えている。図４に、右側袋部３に履物６を収容し、左側袋部４に懐中電灯５を収容した状態の防災対策枕１を、背面下部から見た図を示す。
【００３１】
図５に、本実施例の防災対策枕１の左側袋部３又は右側袋部４に収納可能な懐中電灯５の一実施形態を示す。図６に、本実施例の防災対策枕１の左側袋部３又は右側袋部４に収納可能な履物６であるスリッパの一実施形態を示す。図６に示されるスリッパは、厚地の布地で形成されており、使用者の足をガラスの破片等から保護することができると同時に、就寝時の使用者が第２のクッション材１６を挟んで頭部を載せてもあまり違和感を覚えない程度の柔軟性を備えている。
【００３２】
図７に、本実施例の防災対策枕１の枕本体部１の開口に、使用者が頭部を挿入した状態を示す。枕本体部１を構成する袋状カバー１３，１４とクッション材１５ａ，１６ｂとによって、使用者の頭部は、災害発生時にも安全に保護される。
【００３３】
本実施例における防災対策枕１の枕本体部１の開口には、タオルやクッションと言った任意の緩衝材を挿入することで、使用者が所望する高さに調節することができる。
【００３４】
本実施例における防災対策枕１は、枕本体部１の開口が図３における前面側に形成されており、左側袋部３と右側袋部４の開口が図３における後面側に形成されている。このように、中央の枕本体部２の開口と、両端部の袋部の開口とを異なる側で形成することは、使用者の寝心地を向上させる効果がある。つまり、就寝時に、枕本体部２の開口が使用者の首側になるように配置すると、使用者が寝返りを打った場合でも、使用者の首および肩には左側袋部３と右側袋部４の縫合された側が接触することになり、袋部の内部に収納された防災用具に触れる機会を減じることが可能となる。
【００３５】
本実施例の防災対策枕１は、懐中電灯５と履物６とを組み合わせた防災対策枕セットとして販売することが好ましい。本実施例における懐中電灯５と履物６とは、いずれも、就寝中の災害対策として有効な防災用具であると共に、防災対策枕１の両側の袋部に収納したときに、使用者の寝心地を極力損なわないように構成されているためである。
【００３６】
以上、実施例において本発明の具体例を詳細に説明したが、これらは例示にすぎず、特許請求の範囲を限定するものではない。特許請求の範囲に記載の技術には、以上に例示した具体例を様々に変形、変更したものが含まれる。例えば実施例では、クッション材１５ａとクッション材１５ｂとが同一の形状を有する場合について説明したが、寝心地を向上させるために、クッション材１５ａとクッション材１５ｂの形状を異なる物とすることが可能である。また、実施例では、元々別体である第１の袋状カバーと第２の袋状カバーにクッション材１５ａとクッション材１５ｂを別々に挿入した後、縫合する製造方法について説明したが、長尺の１本のカバー部の中に、所定の間隔をあけて、合計４個のクッション材を挿入し、両端部を縫合した後で２つ折りとして縫製ラインで縫合して枕を形成することも可能である。
【符号の説明】
【００３７】
１      災害対策枕
２      枕本体部
３      左側袋部
４      右側袋部
５      懐中電灯
６      履物（スリッパ）
１１    上側クッション部
１２    下側クッション部
１３    第１の袋状カバー
１４    第２の袋状カバー
１５ａ，１５ｂ    クッション材
１６    第２のクッション材
２１，２２  縫製ライン
【図１】
2011143052.tif 000003
【図２】
2011143052.tif 000004
【図３】
2011143052.tif 000005
【図４】
2011143052.tif 000006
【図５】
2011143052.tif 000007
【図６】
2011143052.tif 000008
【図７】
2011143052.tif 000009